(57)【要約】      （修正有）【課題】プラズマディスプレイ装置の駆動に必要な電源数を減少させることにより、費用を低減させる。【解決手段】スキャン電極Ｙ及びサステイン電極Ｚのそれぞれに接続され、サステイン期間の間第１電圧＋Ｖｓ／２を供給する第１電圧供給部１００と、スキャン電極Ｙ及びサステイン電極Ｚのそれぞれに接続され、サステイン期間の間、第１電圧が供給される電極の反対電極に第１電圧の逆極性である第２電圧−Ｖｓ／２を供給する第２電圧供給部１９０とを含む。これにより、スキャン電極Ｙとサステイン電極Ｚとのそれぞれを駆動するためのスキャン駆動部とサステイン駆動部とを各々区分して具備しないことにより、回路構成を簡単にすると共に、素子の使用量を低減することができる。また、駆動パルスの電圧レベルを低減することができる。【選択図】図４
2006171758.tif 000002
【特許請求の範囲】
【請求項１】
スキャン電極及びサステイン電極を含むプラズマディスプレイパネルと、
前記スキャン電極及びサステイン電極のそれぞれに接続され、サステイン期間の間、前記スキャン電極またはサステイン電極に第１電圧を供給する第１電圧供給部と、
前記スキャン電極及びサステイン電極のそれぞれに接続され、前記サステイン期間の間、前記第１電圧が供給される電極の反対電極に前記第１電圧の逆極性である第２電圧を供給する第２電圧供給部と
を含むことを特徴とするプラズマディスプレイ装置。
【請求項２】
前記第１電圧と前記第２電圧との電位差は、サステイン放電電圧Ｖｓをなすことを特徴とする請求項１に記載のプラズマディスプレイ装置。
【請求項３】
前記第１電圧の電圧レベルは、Ｖｓ／２であることを特徴とする請求項２に記載のプラズマディスプレイ装置。
【請求項４】
前記第２電圧の電圧レベルは、−Ｖｓ／２であることを特徴とする請求項２に記載のプラズマディスプレイ装置。
【請求項５】
セットアップ期間の間、前記スキャン電極に第３電圧を供給する第３電圧供給部をさらに含むことを特徴とする請求項１に記載のプラズマディスプレイ装置。
【請求項６】
前記第１電圧供給部と前記第３電圧供給部とは、セットアップ期間の間、前記第１電圧と前記第３電圧とを加算して前記スキャン電極に供給し、前記第２電圧供給部は、前記第２電圧を前記サステイン電極に供給することを特徴とする請求項５に記載のプラズマディスプレイ装置。
【請求項７】
前記第３電圧供給部は、第１可変抵抗が接続された第１スイッチを含み、前記セットアップ期間の間、前記第３電圧を前記第１スイッチを介して供給することを特徴とする請求項５に記載のプラズマディスプレイ装置。
【請求項８】
前記第２電圧供給部は、セットダウン期間の間、前記第２電圧を前記スキャン電極に印加し、前記第１電圧供給部は、セットダウン期間の間、前記第１電圧を前記サステイン電極に印加することを特徴とする請求項１に記載のプラズマディスプレイ装置。
【請求項９】
前記第２電圧供給部は、第２可変抵抗が接続された第２スイッチを含み、セットダウン期間の間、前記第２電圧を前記第２スイッチを介して供給することを特徴とする請求項８に記載のプラズマディスプレイ装置。
【請求項１０】
第４電圧を供給する第４電圧供給部を含み、前記第４電圧を前記アドレス期間の間、前記スキャン電極に供給することを特徴とする請求項１に記載のプラズマディスプレイ装置。
【請求項１１】
前記第４電圧の電圧レベルは、グラウンド電圧レベル以上前記第１電圧レベル未満であることを特徴とする請求項１０に記載のプラズマディスプレイ装置。
【請求項１２】
前記第２電圧供給部は、スキャン期間の間、前記第２電圧を複数の前記スキャン電極に順次供給することを特徴とする請求項１に記載のプラズマディスプレイ装置。
【請求項１３】
前記第１電圧供給部は、前記スキャン電極または前記サステイン電極に正極性電圧を供給し回収する第１エネルギー供給／回収部を含むことを特徴とする請求項１に記載のプラズマディスプレイ装置。
【請求項１４】
前記正極性電圧の電圧レベルは、略Ｖｓ／４であることを特徴とする請求項１３に記載のプラズマディスプレイ装置。
【請求項１５】
前記第２電圧供給部は、前記スキャン電極または前記サステイン電極に負極性電圧を供給し回収する第２エネルギー供給／回収部を含むことを特徴とする請求項１に記載のプラズマディスプレイ装置。
【請求項１６】
前記負極性電圧の電圧レベルは、略−Ｖｓ／４であることを特徴とする請求項１５に記載のプラズマディスプレイ装置。
【請求項１７】
スキャン電極及びサステイン電極を含むプラズマディスプレイパネルと、
前記スキャン電極及びサステイン電極のそれぞれに接続され、アドレス期間の間、前記サステイン電極に第１電圧を供給し、サステイン期間の間、スキャン電極またはサステイン電極に前記第１電圧を供給する第１電圧供給部と、
前記スキャン電極及びサステイン電極のそれぞれに接続され、前記サステイン期間の間、前記第１電圧が供給される電極の反対電極に前記第１電圧の逆極性である第２電圧を供給する第２電圧供給部と
を含むことを特徴とするプラズマディスプレイ装置。
【請求項１８】
前記第１電圧の電圧レベルは、Ｖｓ／２であることを特徴とする請求項１７に記載のプラズマディスプレイ装置。
【請求項１９】
前記第２電圧の電圧レベルは、−Ｖｓ／２であることを特徴とする請求項１７に記載のプラズマディスプレイ装置。
【請求項２０】
セットアップ期間、セットダウン期間、アドレス期間及びサステイン期間を含む複数個のサブフィールドを組み合わせて、１フレームの間の画像を具現するプラズマディスプレイ装置の駆動方法において、
アドレス期間の間、サステイン電極に第１電圧を供給するステップと、
サステイン期間の間、スキャン電極または前記サステイン電極のうちいずれかの電極に前記第１電圧を印加し、前記第１電圧が供給される電極の反対電極に前記第１電圧の逆極性である第２電圧を供給するステップと
を含むことを特徴とするプラズマディスプレイ装置の駆動方法。
【発明の詳細な説明】
【技術分野】
【０００１】
本発明は、ディスプレイ装置に関し、さらに詳細には、プラズマディスプレイ装置及びその駆動方法に関する。
【背景技術】
【０００２】
プラズマディスプレイ装置は、Ｈｅ＋Ｘｅ、Ｎｅ＋Ｘｅ、Ｈｅ＋Ｘｅ＋Ｎｅなどの不活性混合ガスが放電する時発生する紫外線を利用して、蛍光体を励起発光させることによって、画像を表示する。このようなプラズマディスプレイ装置は、薄膜化と大型化が容易なだけでなく、最近の技術開発により画質が向上しつつある。
【０００３】
図１は、プラズマディスプレイ装置の画像を具現する方法を説明するための図である。
【０００４】
図１に示されているように、プラズマディスプレイ装置は、画像の階調を具現するために、１フレームを発光回数の異なる複数のサブフィールドに分けて時分割駆動する。各サブフィールドは、全画面を初期化するためのリセット期間、スキャンラインを選択し、該選択されたスキャンラインで放電セルを選択するためのアドレス期間及び放電回数に応じて階調を具現するサステイン期間に分けられる。
【０００５】
例えば、２５６階調で画像を表示しようとする場合、１／６０秒に該当する１つのフレーム期間（１６．６７ms）は、８個のサブフィールド(ＳＦ１ないしＳＦ８)に分けられる。８個のサブフィールド(ＳＦ１ないしＳＦ８)のそれぞれは、上述したように、リセット期間、アドレス期間及びサステイン期間に分けられる。この時、各サブフィールドのリセット期間とアドレス期間とは、各サブフィールドごとに同じであるに対し、サステイン期間とそれに割り当てられるサステインパルスの数は、各サブフィールドで２ｎ（ｎ＝０，１，２，３，４，５，６，７）の割合で増加する。
【０００６】
図２は、従来のプラズマディスプレイ装置の駆動波形を示す図である。
【０００７】
図２に示されているように、サブフィールドＳＦ各々は、全画面の放電セルを初期化するためのリセット期間ＲＰ、放電セルを選択するためのアドレス期間ＡＰ及び選択された放電セルの放電を維持させるためのサステイン期間ＳＰを含む。
【０００８】
リセット期間ＲＰのうち、セットアップ期間ＳＵには、全てのスキャン電極Ｙに立ち上がりランプ波形ＰＲが同時に印加される。この立ち上がりランプ波形ＰＲにより、全画面のセル内には、微弱な放電(セットアップ放電）が起きるようになって、セル内に壁電荷が生成される。リセット期間ＲＰのうち、セットダウン期間ＳＤには、立ち上がりランプ波形ＰＲのピック電圧より低い正極性(＋）のサステイン電圧Ｖｓから負極性のスキャン電圧−Ｖｙまで、所定の傾斜で立ち下がる立下りランプ波形ＮＲが、スキャン電極Ｙに同時に印加される。立下りランプ波形ＮＲは、セル内に微弱な消去放電を起こすことによって、セットアップ放電により生成された壁電荷及び空間電荷のうち、不要な電荷を消去させることにより、全画面のセル内にアドレス放電に必要な壁電荷を均一に残留させる。
【０００９】
アドレス期間ＡＰには、負極性(−）のスキャンパルスＳＣＮＰがスキャン電極Ｙに順次印加されると同時に、アドレス電極に正極性(＋）のデータパルスＤＰが印加される。このスキャンパルスＳＣＮＰとデータパルスＤＰとの電圧差とリセット期間ＲＰに生成された壁電圧とが加算されながら、データパルスＤＰが印加されるセル内には、アドレス放電が発生する。アドレス放電により選択されたセル内には、壁電荷が生成される。一方、セットダウン期間ＳＤとアドレス期間ＡＰとの間に、サステイン電極Ｚには、正極性(＋）のサステイン電圧Ｖｓが印加される。
【００１０】
サステイン期間ＳＰには、スキャン電極Ｙとサステイン電極Ｚとに交互にサステインパルスＳＵＳＰが印加される。そうすると、アドレス放電により選択されたセルは、セル内の壁電圧とサステインパルスＳＵＳＰとが加算されながら、毎サステインパルスＳＵＳＰが印加される時ごとに、スキャン電極Ｙとサステイン電極Ｚとの間に、面放電形態でサステイン放電が起きる。ここで、サステインパルスらＳＵＳＰは、サステイン電圧Ｖｓと同じ電圧値を有する。
【００１１】
図３は、従来のプラズマディスプレイ装置を説明するための図である。
【００１２】
図３に示されているように、従来のプラズマディスプレイ装置は、サステインパルス供給部２、セットアップ電圧供給制御部６、セットダウン電圧供給制御部８、スキャン電圧供給制御部１０、スキャン基準電圧供給制御部１２、スキャン集積回路(Intergrated Circuit；以下、「ＩＣ」と記す）１４、第１０スイッチＳＷ１０及び第１１スイッチＳＷ１１を含む。ここで、パネルキャパシタＣｐは、プラズマディスプレイ装置のスキャン電極Ｙとサステイン電極Ｚとの間に形成される静電容量を等価的に示したものである。また、図３には、スキャン電極Ｙを駆動するスキャン駆動部のみが示されており、サステイン電極Ｚを駆動するサステイン駆動部が省略されている。すなわち、従来のプラズマディスプレイ装置は、サステイン電極Ｚにサステインパルスを供給するために、図３のサステインパルス供給部２と同じサステインパルス供給部などを含むサステイン駆動部を具備している。
【００１３】
サステインパルス供給部２は、サステイン期間ＳＰの間、サステイン電圧レベルＶｓ及び基底電圧レベルＧＮＤとを有するサステインパルスＳＵＳＰを、パネルキャパシタＣｐのスキャン電極Ｙに供給する。このようなサステインパルス供給部２は、サステイン電圧供給制御部１６及び基底電圧供給制御部１８で構成される。
【００１４】
サステイン電圧供給制御部１６は、リセット期間ＲＰのうち、セットアップ期間ＳＵとサステイン期間ＳＰとの間、パネルキャパシタＣｐのスキャン電極Ｙにサステイン電圧Ｖｓが供給されるように制御する。このようなサステイン電圧供給制御部１６は、サステイン電圧源Ｖｓと第２ノードＮ２との間に接続された第１スイッチＳＷ１を含む。
【００１５】
基底電圧供給制御部１８は、サステイン期間ＳＰの間、基底電圧ＧＮＤがパネルキャパシタＣｐのスキャン電極Ｙに供給されるように制御する。このような基底電圧供給制御部１８は、基底電圧源ＧＮＤと第１ノードＮ１との間に接続された第２スイッチＳＷ２を含む。
【００１６】
セットアップ電圧供給制御部６は、リセット期間ＲＰのうち、セットアップ期間ＳＵの間、図２に示されているように、所定の傾斜でサステイン電圧Ｖｓからピック電圧Ｖｓ＋Ｖｓｅｔｕｐまで立ち上がる立ち上がりランプ波形ＰＲがパネルキャパシタＣｐのスキャン電極Ｙに供給されるように制御する。このようなセットアップ電圧供給制御部６は、セットアップ電圧源Ｖｓｅｔｕｐと第２ノードＮ２との間に接続された第３スイッチＳＷ３、立ち上がりランプ波形ＰＲの傾斜を制御するために第３スイッチＳＷ３のゲート端子に接続された第１可変抵抗Ｒ１及びセットアップ電圧源Ｖｓｅｔｕｐと第１ノードＮ１との間に接続された第１キャパシタＣ１を含む。
【００１７】
セットダウン電圧供給制御部８は、リセット期間ＲＰのうち、セットダウン期間ＳＤの間、図２に示されているように、所定の傾斜でサステイン電圧Ｖｓからセットダウン電圧−Ｖｙまで立ち下がる立下りランプ波形ＮＲがパネルキャパシタＣｐのスキャン電極Ｙに供給されるように制御する。このようなセットダウン電圧供給制御部８は、スキャン電圧源−Ｖｙと第３ノードＮ３との間に接続された第４スイッチＳＷ４及び立下りランプ波形ＮＲの傾斜を制御するために第４スイッチＳＷ４のゲート端子に接続された第２可変抵抗Ｒ２を含む。
【００１８】
スキャン電圧供給制御部１０は、アドレス期間ＡＰのうち、図２に示されているように、スキャン電圧−ＶｙがパネルキャパシタＣｐのスキャン電極Ｙに供給されるように制御する。このようなスキャン電圧供給制御部１０は、スキャン電圧源−Ｖｙと第３ノードＮ３との間に接続された第４スイッチＳＷ４と並列に接続された第５スイッチＳＷ５を含む。
【００１９】
スキャン基準電圧供給制御部１２は、アドレス期間ＡＰの間、図２に示されているように、スキャン基準電圧ＶｓｃがパネルキャパシタＣｐのスキャン電極Ｙに供給されるように制御する。このような、スキャン基準電圧供給制御部１２は、スキャン基準電圧源Ｖｓｃと第３ノードＮ３との間に直列に接続された第６スイッチＳＷ６及び第７スイッチＳＷ７と、スキャン基準電圧源Ｖｓｃと第３ノードＮ３との間に接続された第２キャパシタＣ２を含む。
【００２０】
スキャンＩＣ１４は、第４ノードＮ４と第３ノードＮ３との間にプッシュプル形態で接続される第８スイッチＳＷ８及び第９スイッチＳＷ９を含む。ここで、第８スイッチＳＷ８は、その自分のボディーダイオードを経て、パネルキャパシタＣｐのスキャン電極Ｙを第４ノードＮ４に接続させ、第９スイッチＳＷ９は、その自分のボディーダイオードを経て、第３ノードＮ３をパネルキャパシタＣｐのスキャン電極Ｙに接続させる。
【００２１】
第１０スイッチＳＷ１０は、第１ノードＮ１と第２ノードＮ２との間に接続され、その自分のボディーダイオードを経て、第１ノードＮ１を第２ノードＮ２に電気的に接続させる。また、第１０スイッチＳＷ１０は、タイミングコントローラ(図示せず)から供給される第１０スイッチング制御信号に応答して、第１ノードＮ１を第２ノードＮ２に電気的に接続させる。
【００２２】
第１１スイッチＳＷ１１は、タイミングコントローラ(図示せず)から供給される第１１スイッチング制御信号に応答して、第２ノードＮ２を第３ノードＮ３に電気的に接続させる。
【００２３】
このように、従来には、プラズマディスプレイ装置を駆動するために、セットアップ電圧Ｖｓｅｔｕｐ、サステイン電圧Ｖｓ、基底電圧ＧＮＤ、スキャン基準電圧Ｖｓｃ、データ電圧Ｖａ及びスキャン電圧−Ｖｙなどの電圧レベルを有する複数のＤＣ電源を必要とした。この時、サステイン電圧Ｖｓ、基底電圧ＧＮＤ及びデータ電圧Ｖａは、電源ボード(図示せず)から供給され、その他の付随電源すなわち、セットアップ電圧Ｖｓｅｔｕｐ、スキャン電圧−Ｖｙ、スキャン基準電圧Ｖｓｃなどは、サステイン電圧Ｖｓを各電源のレベルに適合するように、ＤＣＤＣ変換して使用する。これにより、従来のプラズマディスプレイ駆動装置では、各電源のレベルを変換させるための複数のＤＣ‐ＤＣ変換回路が必要となって、プラズマディスプレイ装置費用を増加させるという問題点があった。すなわち、従来のプラズマディスプレイ装置は、高い周波数、高電圧及び高電流の駆動波形を耐えるための多くの素子を使用しており、製造コストがアップしてしまう。
【００２４】
また、プラズマディスプレイ装置の駆動時、素子で発生する発熱及びノイズにより、製品の効率が低下するという問題点がある。
【発明の開示】
【発明が解決しようとする課題】
【００２５】
本発明は、上記の従来の問題を解決するためになされたものであって、その目的は、プラズマディスプレイ装置の駆動に必要な電源数を減少させることにより、費用を低減させることのできるプラズマディスプレイ装置及びその駆動方法を提供することにある。
【００２６】
また、本発明の更なる目的は、従来に比べて、低い定格の素子を使用することにより、原価低減及び回路の効率向上が可能なプラズマディスプレイ装置及びその駆動方法を提供することにある。
【課題を解決するための手段】
【００２７】
本発明の一実施の形態に係るプラズマディスプレイ装置は、スキャン電極及びサステイン電極を含むプラズマディスプレイパネルと、前記スキャン電極及びサステイン電極のそれぞれに接続され、サステイン期間の間、前記スキャン電極またはサステイン電極に第１電圧を供給する第１電圧供給部と、前記スキャン電極及びサステイン電極のそれぞれに接続され、前記サステイン期間の間、前記第１電圧が供給される電極の反対電極に前記第１電圧の逆極性である第２電圧を供給する第２電圧供給部とを含む。
【００２８】
本発明の他の実施の形態に係るプラズマディスプレイ装置は、スキャン電極及びサステイン電極を含むプラズマディスプレイパネルと、前記スキャン電極及びサステイン電極のそれぞれに接続され、アドレス期間の間、前記サステイン電極に第１電圧を供給し、サステイン期間の間、スキャン電極またはサステイン電極に前記第１電圧を供給する第１電圧供給部と、前記スキャン電極及びサステイン電極のそれぞれに接続され、前記サステイン期間の間、前記第１電圧が供給される電極の反対電極に前記第１電圧の逆極性である第２電圧を供給する第２電圧供給部とを含む。
【００２９】
本発明のセットアップ期間、セットダウン期間、アドレス期間及びサステイン期間を含む複数個のサブフィールドを組み合わせて、１フレームの間の画像を具現するプラズマディスプレイ装置の駆動方法は、アドレス期間の間、サステイン電極に第１電圧を供給するステップと、サステイン期間の間、スキャン電極または前記サステイン電極のうちいずれかの電極に前記第１電圧を印加し、前記第１電圧が供給される電極の反対電極に前記第１電圧の逆極性である第２電圧を供給するステップとを含む。
【発明の効果】
【００３０】
本発明のプラズマディスプレイ装置及びその駆動方法は、駆動に必要な電源数を減少させることによって、製造費用を低減させることのできる効果がある。
【００３１】
また、本発明のプラズマディスプレイ装置及びその駆動方法は、従来に比べて、低い定格の素子を使用することによって、原価低減及び回路の効率向上が可能であるという効果がある。
【発明を実施するための最良の形態】
【００３２】
本発明の一実施の形態に係るプラズマディスプレイ装置は、スキャン電極及びサステイン電極を含むプラズマディスプレイパネルと、前記スキャン電極及びサステイン電極のそれぞれに接続され、サステイン期間の間、前記スキャン電極またはサステイン電極に第１電圧を供給する第１電圧供給部と、前記スキャン電極及びサステイン電極のそれぞれに接続され、前記サステイン期間の間、前記第１電圧が供給される電極の反対電極に前記第１電圧の逆極性である第２電圧を供給する第２電圧供給部とを含む。
【００３３】
前記第１電圧と前記第２電圧との電位差は、サステイン放電電圧Ｖｓをなすことを特徴とする。
【００３４】
前記第１電圧の電圧レベルは、Ｖｓ／２であることを特徴とする。
【００３５】
前記第２電圧の電圧レベルは、−Ｖｓ／２であることを特徴とする。
【００３６】
本発明のプラズマディスプレイ装置は、セットアップ期間の間、前記スキャン電極に第３電圧を供給する第３電圧供給部をさらに含む。
【００３７】
前記第１電圧供給部と前記第３電圧供給部とは、セットアップ期間の間、前記第１電圧と前記第３電圧とを加算して前記スキャン電極に供給し、前記第２電圧供給部は、前記第２電圧を前記サステイン電極に供給することを特徴とする。
【００３８】
前記第３電圧供給部は、第１可変抵抗が接続された第１スイッチを含み、前記セットアップ期間の間、前記第３電圧を前記第１スイッチを介して供給することを特徴とする。
【００３９】
前記第２電圧供給部は、セットダウン期間の間、前記第２電圧を前記スキャン電極に印加し、前記第１電圧供給部は、セットダウン期間の間、前記第１電圧を前記サステイン電極に印加することを特徴とする。
【００４０】
前記第２電圧供給部は、第２可変抵抗が接続された第２スイッチを含み、セットダウン期間の間、前記第２電圧を前記第２スイッチを介して供給することを特徴とする。
【００４１】
本発明のプラズマディスプレイ装置は、第４電圧を供給する第４電圧供給部をさらに含み、前記第４電圧を前記アドレス期間の間、前記スキャン電極に供給することを特徴とする。
【００４２】
前記第４電圧の電圧レベルは、グラウンド電圧レベル以上前記第１電圧レベル未満であることを特徴とする。
【００４３】
前記第２電圧供給部は、スキャン期間の間、前記第２電圧を複数の前記スキャン電極に順次供給することを特徴とする。
【００４４】
前記第１電圧供給部は、前記スキャン電極または前記サステイン電極に正極性電圧を供給し回収する第１エネルギー供給／回収部を含むことを特徴とする。
【００４５】
前記正極性電圧の電圧レベルは、略Ｖｓ／４であることを特徴とする。
【００４６】
前記第２電圧供給部は、前記スキャン電極または前記サステイン電極に負極性電圧を供給し回収する第２エネルギー供給／回収部を含むことを特徴とする。
【００４７】
前記負極性電圧の電圧レベルは、略−Ｖｓ／４であることを特徴とする。
【００４８】
本発明の他の実施の形態に係るプラズマディスプレイ装置は、スキャン電極及びサステイン電極を含むプラズマディスプレイパネルと、前記スキャン電極及びサステイン電極のそれぞれに接続され、アドレス期間の間、前記サステイン電極に第１電圧を供給し、サステイン期間の間、スキャン電極またはサステイン電極に前記第１電圧を供給する第１電圧供給部と、前記スキャン電極及びサステイン電極のそれぞれに接続され、前記サステイン期間の間、前記第１電圧が供給される電極の反対電極に前記第１電圧の逆極性である第２電圧を供給する第２電圧供給部とを含む。
【００４９】
前記第１電圧の電圧レベルは、Ｖｓ／２であることを特徴とする。
【００５０】
前記第２電圧の電圧レベルは、−Ｖｓ／２であることを特徴とする。
【００５１】
本発明のセットアップ期間、セットダウン期間、アドレス期間及びサステイン期間を含む複数個のサブフィールドを組み合わせて、１フレームの間の画像を具現するプラズマディスプレイ装置の駆動方法は、アドレス期間の間、サステイン電極に第１電圧を供給するステップと、サステイン期間の間、スキャン電極または前記サステイン電極のうちいずれかの電極に前記第１電圧を印加し、前記第１電圧が供給される電極の反対電極に前記第１電圧の逆極性である第２電圧を供給するステップとを含む。
【００５２】
以下、本発明に係る具体的な実施の形態を添付の図面を参照しつつ説明する。
【００５３】
<第１実施の形態>
【００５４】
図４は、本発明の第１実施の形態に係るプラズマディスプレイ装置を説明するための図である。
【００５５】
図４に示されているように、本発明の第１実施の形態に係るプラズマディスプレイ装置は、サステイン期間の間、互いに反対極性を有する第１電圧と第２電圧とを供給するために、第１電圧供給部１００と第２電圧供給部１９０とを含む。ここで、本発明の第１実施の形態に係る第１電圧供給部１００は、スキャン電極Ｙとサステイン電極Ｚとのにそれぞれ接続され、第２電圧供給部１９０もまた、スキャン電極Ｙとサステイン電極Ｚとにそれぞれ接続される。すなわち、従来とは異なり、スキャン電極Ｙとサステイン電極Ｚとのそれぞれを駆動するためのスキャン駆動部とサステイン駆動部とを各々区分して具備しないことにより、回路構成を簡単にすると共に、素子の使用量を低減することができる。また、第１電圧供給部と第２電圧供給部とを実質的に統合駆動ボードとして構成することも可能である。統合駆動ボードとは、１つの駆動ボードでスキャン電極とサステイン電極両方を駆動するボードのことを意味する。
【００５６】
一方、本発明の第１実施の形態では、サステイン期間の間、第１電圧、すなわち正極性電圧Ｖｓ／２と、第２電圧、すなわち負極性電圧−Ｖｓ／２とをプラズマディスプレイパネルのスキャン電極に交互に供給し、スキャン電極に交互に供給される順序と反対に、第１電圧と第２電圧とをサステイン電極に交互に供給する。すなわち、互いの電位差がサステイン放電電圧Ｖｓである第１電圧＋Ｖｓ／２と第２電圧−Ｖｓ／２を反対の電極に互いに対応するように供給することによって、サステイン放電を維持する。このように、従来とは異なり、サステイン放電電圧Ｖｓの１／２大きさの電圧でサステイン駆動をできる。
【００５７】
また、セットアップ期間の間、サステイン電極に第２電圧を供給することによって、スキャン電極に供給される正極性のセットアップ電圧と十分に壁電荷を蓄積することのできる電位差をなす。これにより、セットアップ電圧の電圧レベルを、従来に比べて低くすることができる。また、セットダウン期間の間、サステイン電極に第１電圧を供給することによって、スキャン電極に供給される負極性のセットダウン電圧と十分に壁電荷を消去できる電位差をなす。これにより、負極性のセットダウン電圧の電圧レベルを従来に比べて、高めることができる。このように、リセット期間に供給される電圧の大きさが減少するようになる。
【００５８】
ここで、本発明の第１実施の形態に係るプラズマディスプレイ装置の動作特性をさらに詳細に説明する。
【００５９】
本発明の第１実施の形態に係るプラズマディスプレイ装置は、第１電圧供給部１００、第２電圧供給部１９０、第３電圧供給部１１０、第４電圧供給部１５０及び第５電圧供給部２００を含む。
【００６０】
第１電圧供給部１００は、電圧レベルがＶｓ／２である第１電圧をスキャン電極及びサステイン電極に供給する。すなわち、次の図５のように、各々の期間の間、スキャン電極とサステイン電極とに供給される。これに関するさらに詳細な説明は、次の図５を参照し記述するものとする。一方、第１電圧供給部１００は、スキャン電極またはサステイン電極に正極性電圧を供給し回収する第１エネルギー供給／回収部１０１を含む。すなわち、プラズマディスプレイパネルに形成されたスキャン電極またはサステイン電極に供給された無効電力を回収し、これを再供給することによって、エネルギー効率を向上させる。このために、第１エネルギー供給／回収部１０１は、第１キャパシタＣ１と第１インダクタＬ１とを備える。第１キャパシタＣ１に格納され供給されるエネルギーの電圧レベルは、略Ｖｓ／４となる。ここで、第５スイッチＱ６は、第１電圧供給部１００から正のエネルギーを供給及び回収するための電流経路をスイッチングして制御する。
【００６１】
第２電圧供給部１９０は、電圧レベルが−Ｖｓ／２である第２電圧をスキャン電極及びサステイン電極に供給する。すなわち、次の図５のように、各々の期間の間、スキャン電極とサステイン電極とに供給される。これに関するさらに詳細な説明は、次の図５を参照し記述するものとする。一方、第２電圧供給部１９０は、スキャン電極またはサステイン電極に負極性電圧を供給し回収する第２エネルギー供給／回収部１９１を含む。すなわち、プラズマディスプレイパネルに形成されたスキャン電極またはサステイン電極に供給された無効電力を回収し、これを再供給することによって、エネルギー効率を向上させる。このために、第２エネルギー供給／回収部１９１は、第２キャパシタＣ２と第２インダクタＬ２とを備える。第２キャパシタＣ２に格納され供給されるエネルギーの電圧レベルは、略−Ｖｓ／４となる。
【００６２】
第２電圧供給部１９０は、第２可変抵抗ＶＲ２が接続された第２スイッチＱ１１を含む。これにより、第２電圧は、セットダウン期間の間、スキャン電極に立下りランプ波形をなしながら供給される。
【００６３】
また、第２電圧供給部１９０は、セットアップ期間の間、壁電荷を安定して蓄積するために、第３可変抵抗ＶＲ３が接続された第３スイッチＱ２１をさらに含むことが可能である。すなわち、セットアップ期間の間、第２電圧を第３スイッチＱ２１を介してサステイン電極に供給するすることで、第２電圧は、立下りランプ波形をなしながら供給される。また、第２電圧供給部１９０に含まれる第４スイッチＱ１０は、アドレス期間の間、スキャン電極に第２電圧、すなわちスキャン電圧の供給を制御するためのスイッチである。
【００６４】
第３電圧供給部１１０は、セットアップ期間の間、スキャン電極に第３電圧を供給する。第３電圧は、正極性電圧であって、セットアップ期間の間、第１電圧供給部１００から供給される第１電圧と加算されて、スキャン電極にセットアップ電圧として供給される。第３電圧供給部１１０は、可変抵抗ＶＲ１が接続された第１スイッチＱ５を含み、セットアップ期間の間、第３電圧を第１スイッチＱ５を介して供給することによって、セットアップパルスは、立ち上がりランプ波形をなす。
【００６５】
第４電圧供給部１５０は、アドレス期間の間、スキャン電極に第４電圧、すなわちスキャンバイアス電圧Ｖｓｃを供給する。この時、第４電圧の電圧レベルは、グラウンド電圧レベル以上第１電圧レベル未満になるようにする。これは、スキャン電圧が負極性の第２電圧−Ｖｓ／２まで立ち下がるに伴い、アドレス電極にアドレス電圧Ｖａを印加しなくても、スキャン電極とサステイン電極との間の面放電による誤放電が発生する可能性を考慮したものである。
【００６６】
第５電圧供給部２００は、アドレス期間の間、サステイン電極に第５電圧を供給する。正極性の第５電圧をサステイン電極に供給することによって、アドレス期間の間、スキャン電極とサステイン電極との間の電位差を減少させることができる。
【００６７】
スキャンＩＣ１６０は、スキャン電極に直接接続されて、スキャン電極への電圧供給を制御する。
【００６８】
第６スイッチＱ１６は、サステイン電極に第１電圧を供給するための電流経路をスイッチングして制御する。
【００６９】
第７スイッチＱ１７は、サステイン電極に第２電圧を供給するための電流経路をスイッチングして制御する。
【００７０】
図５は、本発明の第１実施の形態に係るプラズマディスプレイ装置の駆動波形を説明するための図である。
【００７１】
図５に示されているように、本発明の第１実施の形態に係るプラズマディスプレイ装置は、全てのセルを初期化するためのリセット期間、放電するセルを選択するためのアドレス期間及び選択されたセルの放電を維持させるためのサステイン期間に分けられて駆動される。図５の駆動波形を、図４のプラズマディスプレイ装置と関連つけて説明すれば、次の通りである。
【００７２】
リセット期間において、セットアップ期間には、第１電圧供給部１００の第１電圧Ｖｓ／２と第３電圧供給部１１０の第３電圧Ｖｓｅｔｕｐとが加算されて、第１スイッチＱ５に供給される。第１スイッチＱ５は、第１可変抵抗ＶＲ１によりチャネル幅が調整されながら、所定傾斜を有する電圧を供給する。前記所定傾斜で印加される電圧は、スキャンＩＣ１６０の上段スイッチＱ１４を経て、スキャン電極Ｙに供給される。このような過程を経て、図５に示されているように、全てのスキャン電極Ｙに立ち上がりランプ波形をなすセットアップ電圧Ｖｓ／２＋Ｖｓｅｔｕｐが同時に印加される。
【００７３】
また、第２電圧供給部１９０の第２電圧−Ｖｓ／２が第３スイッチＱ２１を経て、サステイン電極Ｚに供給される。これにより、セットアップ期間にスキャン電極Ｙとサステイン電極Ｚとの間に電位差をなしてスキャン電極に印加されるセットアップ波形の電圧レベルを低くすることができる。また、第３スイッチを経ることに伴い、サステイン電極には、次第に立ち下がる立下りランプ波形が印加されて、安定して壁電荷を蓄積することができる。
【００７４】
このように、セットアップ期間を介して、全画面の放電セル内には、弱い暗放電(Dark Discharge）が起きる。セットアップ放電により、アドレス電極とサステイン電極との上には、正極性壁電荷が蓄積され、スキャン電極上には、負極性の壁電荷が蓄積される。
【００７５】
セットダウン期間には、第２電圧供給部１９０の第２電圧−Ｖｓ／２が、第２スイッチＱ１１を経てスキャン電極に供給される。これにより、図５に示されているように、スキャン電極に立下りランプ波形（Ｒamp-down）が供給され、スキャン電極等の電圧は、−Ｖｓ／２まで立ち下がる。
【００７６】
また、第１電圧供給部１９０の第１電圧Ｖｓ／２が、第６スイッチＱ１６を経てサステイン電極に供給される。これで、スキャン電極とサステイン電極との間に、壁電荷を消去するための充分な電位差を有するようになる。本発明の第１実施の形態では、セットダウン期間に第１電圧をサステイン電極に供給したが、これとは異なり、第５電圧供給部２００の正極性第５電圧Ｖｚｂを供給することも可能である。
【００７７】
このように、セットダウン期間を介して、セル内にスキャン電極とアドレス電極との間、そしてスキャン電極とサステイン電極との間に消去放電を起こすことによって、セル内に形成された壁電荷を十分に消去させる。セットダウン波形により、サステイン期間において、画像を表示するセルでアドレス放電が安定して起きることができる程度の壁電荷がセル内に均一に残留される。
【００７８】
アドレス期間には、第４電圧供給部１５０の第４電圧Ｖｓｃを全てのスキャン電極に供給する。第４電圧を基準電圧とし、第２電圧供給部１５０の第２電圧−Ｖｓ／２を、第４スイッチＱ１０を経て各々のスキャン電極に順次供給する。この時、サステイン電極には、スキャン電極との誤放電を防止するために、第５電圧供給部２００の第５電圧Ｖｚｂを供給する。
【００７９】
このように、負極性スキャン電圧が、スキャン電極に順次供給されると同時に、スキャン電圧に同期されて、アドレス電極に正極性のアドレス電圧が供給される。スキャン電圧とアドレス電圧との電位差とリセット期間に生成された壁電圧とが加算されながら、アドレス電圧が供給される放電セル内には、アドレス放電が発生する。アドレス放電により選択されたセル内には、サステイン電圧が供給される時、放電が起きる程度の壁電荷が形成される。サステイン電極には、アドレス期間の間、にスキャン電極との電位差を減少させて、スキャン電極との誤放電が起こらないように、正極性バイアス電圧Ｖｚｂが供給される。
【００８０】
サステイン期間には、スキャン電極またはサステイン電極に、第１電圧供給部１００から第１電圧Ｖｓ／２が供給され、これと同時に、前記第１電圧Ｖｓ／２が供給される電極の反対電極には、第２電圧供給部１９０から第２電圧−Ｖｓ／２が供給される。アドレス放電により選択されたセルは、セル内の壁電圧とサステイン放電電圧Ｖｓとが加算されながら、毎サステイン放電電圧Ｖｓが供給される時ごとに、スキャン電極とサステイン電極との間にサステイン放電すなわち、表示放電が起きるようになる。
【００８１】
これにより、本発明の第１実施の形態に係るプラズマディスプレイ装置は、従来の駆動波形による特性と類似の特性を得ることができ、回路構成に対する費用が減少する。
【００８２】
<第２実施の形態>
【００８３】
図６は、本発明の第２実施の形態に係るプラズマディスプレイ装置を説明するための図である。
【００８４】
図６に示されているように、本発明の第２実施の形態に係るプラズマディスプレイ装置は、第１電圧供給部６００、第２電圧供給部６９０、第３電圧供給部６１０及び第４電圧供給部６５０を含む。
【００８５】
ここで、本発明の第２実施の形態に係るプラズマディスプレイ装置は、図４を参照して説明した本発明の第１実施の形態に係るプラズマディスプレイ装置とは異なり、正極性バイアス電圧Ｖｚｂを第１電圧Ｖｓ／２として使用する。すなわち、第１電圧供給部６００の第１電圧を、アドレス期間の間、サステイン電極Ｚに供給することによって、図４の第５電圧供給部２００を除去できる。これにより、電圧源と素子の使用をさらに減少させて、プラズマディスプレイ装置の製造単価をさらに效果的に低減できる。一方、製造単価の低減のために、本発明の第２実施の形態では、図４の第３スイッチＱ２１を除去することも可能である。
【００８６】
本発明の第２実施の形態に係るプラズマディスプレイ装置も、本発明の第１実施の形態に係るプラズマディスプレイ装置と同様に、サステイン期間の間、互いに反対極性を有する第１電圧と第２電圧とを供給するために、第１電圧供給部６００と第２電圧供給部６９０とを含む。本発明の第２実施の形態に係る第１電圧供給部６００は、スキャン電極Ｙとサステイン電極Ｚとにそれぞれ接続され、第２電圧供給部６９０もまた、スキャン電極Ｙとサステイン電極Ｚとにそれぞれ接続される。このように、本発明の第２実施の形態に係るプラズマディスプレイ装置の構成及びその動作特性の中で、本発明の第１実施の形態に係るプラズマディスプレイ装置と実質的に同じ部分の重複した説明は、省略するものとする。
【００８７】
図７は、本発明の第２実施の形態に係るプラズマディスプレイ装置の駆動波形を説明するための図である。
【００８８】
図７に示されているように、本発明の第２実施の形態に係るプラズマディスプレイ装置は、全てのセルを初期化するためのリセット期間、放電するセルを選択するためのアドレス期間及び選択されたセルの放電を維持させるためのサステイン期間に分けられて駆動される。
【００８９】
本発明の第２実施の形態に係るアドレス期間には、第４電圧供給部６５０の第４電圧Ｖｓｃを、全てのスキャン電極Ｙに供給する。第４電圧を基準電圧とし、第２電圧供給部６５０の第２電圧−Ｖｓ／２を、第４スイッチＱ１０を経て各々のスキャン電極Ｙに順次供給する。この時、サステイン電極Ｚには、スキャン電極Ｙとの誤放電を防止するために、第１電圧供給部６００の第１電圧Ｖｓ／２を供給する。
【００９０】
これにより、本発明の第２実施の形態に係るプラズマディスプレイ装置は、本発明の第１実施の形態に係る駆動波形による特性と類似の特性を得ることができる。また、回路構成に対する費用が減少する。リセット期間及びサステイン期間に対する説明は、図５の説明で既に十分にしたので、省略するものとする。
【００９１】
なお、本発明は、上記の実施の形態に限定されるものではなく、本発明に係る技術的思想から逸脱しない範囲内で様々な変更が可能であり、それらも本発明の技術的範囲に属する。
【図面の簡単な説明】
【００９２】
【図１】プラズマディスプレイ装置の画像を具現する方法を説明するための図である。
【図２】従来のプラズマディスプレイ装置の駆動波形を示す図である。
【図３】従来のプラズマディスプレイ装置を説明するための図である。
【図４】本発明の第１実施の形態に係るプラズマディスプレイ装置を説明するための図である。
【図５】本発明の第１実施の形態に係るプラズマディスプレイ装置の駆動波形を説明するための図である。
【図６】本発明の第２実施の形態に係るプラズマディスプレイ装置を説明するための図である。
【図７】本発明の第２実施の形態に係るプラズマディスプレイ装置の駆動波形を説明するための図である。
【図１】
2006171758.tif 000003
【図２】
2006171758.tif 000004
【図３】
2006171758.tif 000005
【図４】
2006171758.tif 000006
【図５】
2006171758.tif 000007
【図６】
2006171758.tif 000008
【図７】
2006171758.tif 000009